【手続補正書】
【提出日】平成20年7月24日(2008.7.24)
【手続補正１】
【補正対象書類名】特許請求の範囲
【補正対象項目名】全文
【補正方法】変更
【補正の内容】
【特許請求の範囲】
【請求項１】
医療用パウチに連結するエジェクターに開閉装置を備えた注水孔を設け、洗浄液又は注水で発生する潤滑で内部を洗浄し排泄物を取捨するエジェクター。
【請求項２】
注水孔の所在標示と保持補強に孔の上に可撓性板の設置を特徴とする請求項１記載のエジェクター。
【請求項３】
先端が反転する連結装置を備えた請求項１及び２記載のエジェクター。
【手続補正２】
【補正対象書類名】明細書
【補正対象項目名】全文
【補正方法】変更
【補正の内容】
【発明の詳細な説明】
【発明の名称】洗浄エジェクター。
【技術分野】
【０００１】人工肛門パウチの排泄物エジェクター。
【背景技術】
【０００２】人工肛門排泄物収容パウチは２枚の柔軟性樹脂シートを結合形成してなる袋体で、中央に排泄物を受容する開口が在り下辺に排出口が設けられ、排出口を面ファスナーの折り上げで開閉を管理している。【０００３】従来の人工肛門排泄物の排出操作は、パウチに蓄積された排泄物を手で絞り出し排出口より押し出し取捨するのが通常手法であるが、排泄物の状態は泥状又は軟便状の排泄物が多く、軟便状は粘着が強くパウチ内部に貼着し手の絞り出しでは、完全排出は不可能
2008229283.tif 000001
【０００４】然るにパウチの販売や医療案内に有る排出操作の説明は非常に偏見で、実態の具体的な状况は説明を回避され、手絞りで完全美麗に排泄処理される如く説明されているものが多く、実態とは甚だ異なり汚濁物貼着のままの装着を強いられ使用者は鈍感的に忍従することを必然とされているのが現状である。【０００５】この排出汚濁処理に関する改善の各種出願がある。
【特許文献１】  特許公開２００３−５６０１８号
【特許文献２】  ＵＳ−Ａ１−３８２５００５号
【特許文献３】  特許公表平１１−５１１０５３号
【特許文献４】  特許公開２００７−２０９７１５号文献１は温水又は水による汚物流し洗浄台で、パウチを人体から取外しパウチ内に蓄積された排泄物を洗浄装置で取捨しパウチを洗浄後放棄するものである。
文献２はパウチに排泄された排泄物の排出操作にスリーブを用いるもので、排出操作は手の絞り出しによるもので温水又は水は用いられて無い。
文献３はバブル機を用いパイプ管にノズルを装着し、ノズルでパウチに水を噴入しパウチ内を洗浄し、パウチ下部排泄口から取捨するもので有る。
文献４は電力によるパウチ内排泄物電力自動洗浄機械で有る。【０００６】文献１は、水道工事会社のによる洗浄流し台であるから機能や洗浄結果は完全であるが、突然無計画に発生する排泄事態に利用者は、近遠を問わず設置場所を探し求めなければならず労多く適切では無く、経済とスペースに於て一般家庭には採用され難い。
文献２は、パウチから投棄場所への延長スリーブで有り、手で絞り出すので汚濁も延長さる。
文献３は、ノズルでパウチに洗浄水を噴入し噴流でパウチ及び排出物を洗浄取捨するもので有るが、パウチ保持方法が明示されておらず、保持状態により放出方向が狂い噴流はパウチを洗浄と共に飛散して場所を汚染する恐れがある。
文献４は、電力を用いるもので仮に機能が完全で有っても使用場所により能力を発揮でき無い物となる。通常のトイレは家庭又はビルでも一般用電源コンセントは設置されておらず、重要な電源を如何するのか又電池採用で有っても重量負担から突然発生する排出事態に常時携帯は困難である。
【発明の開示】
【発明が解決しようとする課題】
【０００７】突然発生する排泄事態でパウチが充満し更に臭気発散の恐れを伴い、家庭内ならばまだしも仕事中や外出先の場合、排出取捨処置に大いなる困惑が発生するが、現在パウチ関連装具でこれに対処機能を持つパウチ洗浄器具は開発されて無い。
本発明はこれらの解決手段として、小型及び軽量で携帯可能な消耗品で時・場所を選ばず、簡易な使用操作で清掃し排出後はゴミ場に捨てられる装具の開発である。
【課題を解決するための手段】
【０００８】パウチに排泄された物を簡便で完潔に取捨するかが主題で、簡便の障壁は装着されているパウチ排出口の長さが短寸で、装着には適切で有っても衣服着用状態の排泄取捨には短く操作が困難であり、この解決に柔軟軽便な樹脂性チューブで長さを補足する。
次に排泄取捨の手絞り操作は清掃が困難な為、水や液体の流体を採用し潤滑の発生を
2008229283.tif 000002
流体の採用でチューブに開閉装置を持つ注水口を設け、チューブをエジェクターとするものである。【０００９】本発明はパウチを人体に装着したまま、電力や機械器具を使用せず突然の排泄必要事態にも、常時携帯可能な小型のエジェクターで容易に対処できるものである。
【発明の効果】
【００１０】本発明の洗浄エジェクターは、簡便な装置で高齢者であっても誰でも何処でも容易に操
2008229283.tif 000003
勿論場所を汚すこと無く簡潔で清潔と確実な排出作業ができる、安価で経済負担の少ないものである。
【発明を実施するための最良の形態】
【００１１】本発明の実施の形態について、図面を参照しながら説明する。
【実施例】
【００１２】図１は本発明のエジェクター立体正面図。
エジェクター１は薄手の樹脂チューブで形成され、パウチ８の下部排泄口を嵌合可能な口径の、長さ１ｍ前後の樹脂チューブ形状で、上端両側を切込み５で設けられる反転部６をもち、反転部６の内側に図面上透視表現の点線で表示された連結装置７を備え、連結装置７より適宜な位置に開閉機能をもつ注水孔２を設け、樹脂チューブは透明のため注水孔設置所在が不明確となるので所在標示に標示盤３を貼付し、又同時に標示盤３は軽薄柔軟なチューブの確実保持を補強するものとなる注水孔開閉装置４である。【００１３】エジェクター１は排泄投棄作業が余裕を持ち行えるパウチ８排泄口の延長となるもので、確実簡便に排出投棄が可能な身長の約半分の長さを備え状況に応じ裁断できる材質で有り、パウチ８の排泄口と嵌合し面ファスナー又は両面テープ機能で連結する。連結作業に対して反転部６は非常に重要で、仮に反転不能な連結装置７で作業を施行すれば、パウチ８排泄口を嵌合するエジェクター１の口径は約８０ミリ前後と狭く、更に連結装置が内側に設置されているので作業は非常に窮屈となり接着剤の覆紙を剥離すると、目的場所に接着する以前に不必要箇所に誤着する混乱の発生を防備する重要対策に設けられるものである。【００１４】図２はエジェクター側断面図。
エジェクター１側面を断面し装置を説明する。エジェクター１先端に適当な長さの切り込み５で外側に折れる反転部６を設け、図示反転部６上辺のエジェクター１内側に連結装置７の面ファスナー又は両面テープを装置し、連結に当たり解放された場所と上辺で各々をパウチ８の排泄口を嵌合し連結する。。【００１５】連結装置７の下方適当な場所に、先細注水口瓶で注水可能な注水孔２を設ける。透明樹脂系のエジェクター１に設けられた注水孔２は、透明資材に空けられた孔で有るため所在が不明確となり勝ちなので、孔にカラー樹脂板を貼付して所在を標示する。樹脂板は同時に可撓性が有るので孔の浮揚保持に活用される標示盤３とする。【００１６】標示盤３で示された注水孔２を自在に開閉する開閉装置４は、標示盤３を覆う樹脂資材で裏面に接着剤を付けたシールで開閉し、注水は小型の先細口瓶等で行う。【００１７】図３はエジェクターとパウチの連結実施図。
エジェクター１にパウチ８排泄口を嵌合連結した実施状態を示したもので、人体に装着されたパウチ８の排泄口を反転部６に在る連結装置７の両面テープ覆紙を剥離して接合し、注水孔２を閉塞しているシールを開口状態に開き、小型の瓶等で注水する。【００１８】注水された水はエジェクター１及びパウチ８の一部に貯水するので、注水孔２を開口でした開閉シールを閉塞に戻し、パウチ８装着で行った排出口の閉じ方と同じ標示盤であるバネ板を用いた『折り上げ』を行いエジェクター１からの下方流出を止める。
貯水はパウチ８内に充分に移流されて無いので、エジェクター１及ひパウチ８排泄口をパウチ８の排泄物蓄積位置より上位に持ち上げて更に水をパウチへ移行させる。
パウチ８に流入した水と蓄積物を外部から撹拌すると、水の潤滑で蓄留物は流動化し移動が容易になるので、適応にエジェククー１の位置を下に降ろし『折り上げ』を解除
2008229283.tif 000004
となって継続し使用ができる。
洗浄作業が終了された後、パウチ８よりエジェクター１を外し、エジェクター１はポリ
2008229283.tif 000005
なる行為は無くなる。【００１９】
2008229283.tif 000006
れのあるパウチを常時身体に装着している苦渋を、人体に装着したまま簡単容易に解消し、更に経済的にもパウチの再使用が可能となり安価な費用で提供出来る実務的にも精神的にも多大な効果の有るものである。
【図面の簡単な説明】
【００２０】
【図１】エジェクター立体正面図。
【図２】エジェクター側断面図。
【図３】エジェクターとパウチの連結実施図。
【符号の説明】
【００２１】      １    エジェクター            ６    反転部
２    注水孔                  ７    連結装置
３    標示盤                  ８    パウチ
４    開閉装置
５    切り込み
【手続補正３】
【補正対象書類名】図面
【補正対象項目名】全図
【補正方法】変更
【補正の内容】
【図１】
2008229283.tif 000007
【図２】
2008229283.tif 000008
【図３】
2008229283.tif 000009